(57)【要約】【課題】歩留まりの向上およびコスト削減に寄与できると共に、均一な厚さのギャップ層を得ることができるマルチプルビュー表示装置を提供する。【解決手段】マルチプルビュー表示装置は、それぞれ異なる複数の画像を表示する複数の画素が混在して配列した画素アレイが配設されたＴＦＴ基板２０と、当該画素アレイからの光を異なる方向へ分離することにより、複数の画像を分離してそれぞれ異なる方向へ表示させる視差バリア１１とを備える。視差バリア１１と画素アレイとの間には、視差バリア１１に透明接着剤１２を用いて貼り付けられた透明フィルム１３が、視差バリアとして配設される。【選択図】図２
2013044926.tif 000002
【特許請求の範囲】
【請求項１】
それぞれ異なる複数の画像を表示する複数の画素が混在して配列した画素アレイと、
前記画素アレイ上に配設され、前記画素アレイからの光を異なる方向へ分離することにより、前記複数の画像を分離してそれぞれ前記異なる方向へ表示させる視差バリアと、
前記視差バリアと前記画素アレイとの間に配設されたギャップ層とを備え、
前記ギャップ層が、前記視差バリアまたは前記画素アレイに透明接着剤によって貼り付けられた透明フィルムにより構成されている
ことを特徴とするマルチプルビュー表示装置。
【請求項２】
互いに対向配置された第１基板および第２基板をさらに備え、
前記視差バリアは、前記第１基板における前記第２基板との対向面に形成されており、
前記透明フィルムは、前記透明接着剤により前記視差バリア側に貼り付けられており、
前記画素アレイを構成する前記複数の画素のそれぞれは、
前記第２基板における前記第１基板との対向面に配設された画素電極と、
前記透明フィルムにおける前記第２基板との対向面に形成されたカラーフィルタと、
前記第１基板と前記カラーフィルタとの間に介在する液晶とを備える
請求項１記載のマルチプルビュー表示装置。
【請求項３】
前記透明フィルムは、前記第１基板および前記第２基板をマザー基板から切断したときの切断部近傍を除く領域に配設されている
請求項２記載のマルチプルビュー表示装置。
【請求項４】
前記液晶は、前記画素アレイを取り囲むように配設されたシール材を用いて前記第１基板と前記第２基板との間に封止されており、
前記透明フィルムは、前記シール材の外端よりも内側に領域に配設されている
請求項２記載のマルチプルビュー表示装置。
【請求項５】
前記画素アレイを構成する前記複数の画素のそれぞれは、有機ＥＬ素子であり、
前記透明フィルムは、前記透明接着剤により前記画素アレイ側に貼り付けられており、
前記視差バリアは、前記透明フィルム上に形成されている
請求項１記載のマルチプルビュー表示装置。
【請求項６】
前記透明フィルムは、前記画素アレイを搭載する基板をマザー基板から切断したときの切断部近傍を除く領域に配設されている
請求項５記載のマルチプルビュー表示装置。
【請求項７】
第１基板上に視差バリアを形成する工程と、
前記視差バリア上に透明フィルムを貼り付ける工程と、
前記透明フィルムの表面にカラーフィルタを形成する工程と、
前記視差バリアおよび前記透明フィルムを搭載した前記第１基板と、画素電極を備える第２基板との間に液晶を封止する工程と
を備えることを特徴とするマルチプルビュー表示装置の製造方法。
【請求項８】
第１基板上に視差バリアを形成する工程と、
前記視差バリア上に、一方の面に色材に有する透明フィルムから成るカラーフィルタフィルムの他方の面を貼り付ける工程と、
前記視差バリアおよび前記カラーフィルタフィルムを搭載した前記第１基板と、画素電極を備える第２基板との間に液晶を封止する工程と
を備えることを特徴とするマルチプルビュー表示装置の製造方法。
【請求項９】
複数の有機ＥＬ素子から成る画素アレイ上に透明フィルムを貼り付ける工程と、
前記透明フィルム上に視差バリアを形成する工程と、
を備えることを特徴とするマルチプルビュー表示装置の製造方法。
【発明の詳細な説明】
【技術分野】
【０００１】
本発明は、複数の画像をそれぞれ異なる方向へ表示可能なマルチプルビュー表示装置に関するものである。
【背景技術】
【０００２】
従来、表示装置は、単一の画像を表示することが前提とされており、画面をあらゆる角度から見ても一定品質の画像を見ることができるように設計されてきた。そのような表示装置は、多くのユーザに同じ情報を提供する用途、例えば、空港や鉄道の駅での運行情報表示などの用途に有効である。
【０００３】
しかし、１つの画面に対し、複数のユーザがそれぞれ異なる情報を欲する場合も少なくない。例えば、車載の表示装置に対して、運転者はカーナビゲーション情報の表示を望み、同乗者は映画やテレビ番組などの表示を望むことがある。その対策としては、表示装置に独立した２つの表示パネルを搭載することであろうが、表示装置の大型化や製造コストの増大を伴う。また車載の表示装置に２つの表示パネルを搭載させた場合、運転者からも２つの画面が見えるため、運転者が運転に集中することを妨げる要因となり得る。
【０００４】
他の例としては、複数のプレーヤが同時にプレイ可能なコンピュータゲームにおいて、各プレーヤが見る画面をそのユーザ専用の表示とする場合である。一般的なゲーム機では、各プレーヤが個別の表示パネルを見ることにより、それが実現されている。しかし、各プレーヤ毎に表示パネルを用意することは、大きなスペースと高いコストが必要であり、例えば携帯ゲーム機では非実用的である。
【０００５】
この課題を解決する技術として、１つの画面が複数の画像をそれぞれ異なる方向へ表示するマルチプルビュー表示装置（多画面表示装置）の開発が進んでいる（例えば、下記の特許文献１）。マルチプルビュー表示装置の代表的なものは、２つの画像をそれぞれ２方向に分けて表示するデュアルビュー表示装置（二画面表示装置）である。
【０００６】
例えば、２つの画像を右方向と左方向に分けて表示するデュアルビュー表示装置では、１つの表示パネルを正面より右側から見た場合と左側から見た場合とで、異なる画像が見える。表示パネルが１つで済むため、装置の小型化および低コスト化に寄与できる。例えばこれを車載の表示装置に適用すると、運転者と同乗者がそれぞれ異なる画面を見ることができ、さらに運転者側からは同乗者側の画面が見えないので、運転者が運転に集中する妨げにもなり難い。
【０００７】
またデュアルビュー表示装置は、それが表示する２つの画像それぞれの見える範囲（視野角）の差を小さく設計し、一人のユーザが表示パネルを見たときに、右目には右目用の画像、左目には左目用の画像がそれぞれ見えるようにすれば、直視タイプの３Ｄ表示装置（立体表示装置）として機能させることができる。
【０００８】
デュアルビュー表示装置の最も一般的な構成は、２つの画像を表示する複数の画素が混在して配列して成る画素アレイと、その画素アレイ上に配設された「視差バリア」と呼ばれる遮光層とを有するものである。視差バリアは、画素アレイからの光が進む方向を制御するスリット状の開口部を有する遮光層である。
【０００９】
例えば、画素アレイにおいて、右方向用の画像を表示する画素（右用画素）と、左方向用の画像を表示する画素（左用画素）とを、画素列ごとに交互に配置し、視差バリアのスリットを右用画素と左用画素の境界付近に配置する。この場合、視差バリアは、正面から右側の方向には左用画素からの光を遮り、左側の方向には右用画素からの光を遮るようになり、デュアルビュー表示が実現される。
【００１０】
画素アレイと視差バリアとの間には、両者の間隔を規定する「ギャップ層」と呼ばれる透明な板状の部材が設けられる。このギャップ層の厚さ（画素アレイと視差バリアとの間隔）は、デュアルビュー表示装置が表示する各画像の視野角の差を決定する要素の一つである。
【００１１】
例えば、画素のピッチ（解像度）が一定の場合、ギャップ層が厚くなるほど各画像の視野角の差は小さくなり、ギャップ層が薄くなるほど視野角の差は大きくなる。例えば、複数のユーザに異なる画像を表示するデュアルビュー表示装置のように視野角の差を大きくする場合は、薄いギャップ層が用いられる。また、３Ｄ表示装置のように視野角の差を小さくする場合は、より厚いギャップ層が用いられる。運転者と同乗者に対して異なる画像を表示する一般的な車載のデュアルビュー表示装置で、ギャップ層の厚さは０．０５〜０．１５ｍｍ程度である。
【先行技術文献】
【特許文献】
【００１２】
【特許文献１】特開２００５−７８０９４号公報
【発明の概要】
【発明が解決しようとする課題】
【００１３】
デュアルビュー表示装置に使用される表示パネルの代表例としては、液晶表示パネルがある。一般な液晶表示パネルの構成は、カラーフィルタやブラックマトリクス（ＢＭ）などが配設される前面の第１のガラス基板と、画素電極やそれに画像信号を供給する配線およびＴＦＴ（Thin Film Transistor）などが配設される背面の第２のガラス基板と、当該第１および第２のガラス基板の間に挟持される液晶とを備えたものとなっている。
【００１４】
液晶表示パネルを用いたデュアルビュー表示装置において、視差バリアと画素アレイとの間隔を規定するギャップ層の形成手法としては、次の２通りが主流である。
【００１５】
第１の手法は、第１のガラス基板と第２のガラス基板とを貼り合わせた後、第１のガラス基板を物理的な研磨や化学的なエッチングにより薄くし、それをギャップ層として利用するものである。視差バリアは、フォトリソグラフィ技術を用いて、薄くした第１のガラス基板の前面、つまり液晶表示パネルの外側に形成される。
【００１６】
第２の手法は、第１のガラス基板と第２のガラス基板とを張り合わせる前に、第１のガラス基板の裏面（第２のガラス基板との対向面）に視差バリアとギャップ層を形成しておくものである。この場合、視差バリアおよびギャップ層は、液晶表示パネルの内側に配設される。
【００１７】
第１の手法では、それぞれマザー基板（表示パネルの切り出し工程前の基板）の状態の第１のガラス基板と第２のガラス基板とを貼り合わせた後、第１のガラス基板を薄くしてその上に視差バリアを形成する。その後、第１および第２のガラス基板を、表示パネルの大きさに切断する工程が行われるが、第１のガラス基板が薄くなっているため、割れ・欠けによる不良が発生しやすい。また、視差バリアのパターンを液晶表示パネルの外側に形成しているため、その後の工程で視差バリアが損傷しやすい。これらの問題は歩留まりの低下を引き起こすが、第１および第２のガラス基板を貼り合わせて液晶表示パネルの完成に近い状態で生じる問題であるため、コスト面において多大な不利益を生じさせる。
【００１８】
第２の手法は、予め視差バリアとギャップ層を備える第１の基板を作成しておくことを除けば、従来の液晶表示装置とほぼ同様のプロセスで製造できるため、比較的容易に実施可能である。視差バリアおよびギャップ層を備える第１のガラス基板の作成方法は、まず第１のガラス基板上に所定パターンの視差バリアを形成し、その上にギャップ層を形成した後、さらにその上にブラックマトリクスおよびカラーフィルタを形成する。
【００１９】
第２の手法におけるギャップ層の形成は、ギャップ層の前駆体（液体）を塗布し、それを硬化させる方法が一般的であるが、ギャップ層は０．０５〜０．１５ｍｍ程度と格段に厚く形成する必要がある（例えば一般的なカラーフィルタ基板に樹脂を塗布して形成するオーバーコート層などは、厚さ数μｍ程度である）。そのため、ギャップ層の塗布パターンのエッジ部が表面張力のため厚くなり、ギャップ層の厚さが不均一になる問題が生じる。またギャップ層を樹脂で形成した場合には、この厚い樹脂膜が硬化するとき第１のガラス基板との間に応力を生じさせ、第１のガラス基板に反りが生じる問題も起こる。
【００２０】
本発明は以上のような課題を解決するためになされたものであり、歩留まりの向上およびコスト削減に寄与できると共に、均一な厚さのギャップ層を得ることができるマルチプルビュー表示装置およびその製造方法を提供することを目的とする。
【課題を解決するための手段】
【００２１】
本発明に係るマルチプルビュー表示装置は、それぞれ異なる複数の画像を表示する複数の画素が混在して配列した画素アレイと、画素アレイ上に配設され、前記画素アレイからの光を異なる方向へ分離することにより、前記複数の画像を分離してそれぞれ前記異なる方向へ表示させる視差バリアと、前記視差バリアと前記画素アレイとの間との間隔を規定するギャップ層とを備え、前記ギャップ層が、前記視差バリアまたは前記画素アレイに透明接着剤によって貼り付けられた透明フィルムにより構成されているものである。
【発明の効果】
【００２２】
本発明によれば、ギャップ層が、視差バリアまたは画素アレイに貼り付けられた透明フィルムにより形成されるため、ギャップ層の厚さを均一にでき、良好な表示特性を得ることができる。また視差バリアを形成する基板を薄くする必要がないため、マザー基板からの切り出し工程にでの割れ・欠けが抑制され、歩留まりの向上およびコスト削減にも寄与できる。
【図面の簡単な説明】
【００２３】
【図１】マルチプルビュー表示装置の基本構造を示す図である。
【図２】実施の形態１に係るマルチプルビュー表示装置の表示パネルの構成図である。
【図３】実施の形態１に係るマルチプルビュー表示装置の製造工程図である。
【図４】実施の形態１に係るマルチプルビュー表示装置の製造工程図である。
【図５】実施の形態１に係るマルチプルビュー表示装置の製造工程図である。
【図６】実施の形態１に係るマルチプルビュー表示装置の製造工程図である。
【図７】実施の形態１に係るマルチプルビュー表示装置の製造工程図である。
【図８】実施の形態１に係るマルチプルビュー表示装置の製造工程図である。
【図９】実施の形態１に係るマルチプルビュー表示装置の製造工程図である。
【図１０】実施の形態１に係るマルチプルビュー表示装置の製造方法の変更例を説明するための図である。
【図１１】実施の形態１に係るマルチプルビュー表示装置の製造方法の変更例を説明するための図である。
【図１２】透明粘着シートの構成図である。
【図１３】実施の形態２に係るマルチプルビュー表示装置の表示パネルの構成図である。
【図１４】カラーフィルタフィルムの構成図である。
【図１５】実施の形態２に係るマルチプルビュー表示装置の製造工程図である。
【図１６】実施の形態２に係るマルチプルビュー表示装置の製造工程図である。
【図１７】実施の形態３に係るマルチプルビュー表示装置の表示パネルの構成図である。
【図１８】実施の形態３に係るマルチプルビュー表示装置の表示パネルの構成図である。
【図１９】実施の形態４に係るマルチプルビュー表示装置の表示パネルの構成図である。
【発明を実施するための形態】
【００２４】
＜実施の形態１＞
本発明の説明に先立ち、図１を用いてマルチプルビュー表示装置の基本構造を説明する。同図は、２つの画像を異なる２方向に表示するデュアルビュー表示装置の構造を示しているが、３方向以上に異なる画像を表示するマルチプルビュー表示装置も同様の構成を有している。
【００２５】
マルチプルビュー表示装置は、画素アレイ１００、ギャップ層１１０および視差バリア１１１の積層構造を有している。画素アレイ１００においては、複数の画像を表示する画素が、所定の規則に従い混在して配列される。図１のデュアルビュー表示装置の画素アレイ１００では、右方向用画像（画面の正面よりも右側から見える画像）を表示する右用画素１０１と、左方向用画像（画面の正面よりも左側から見える画像）を表示する左用画素１０２とが交互に配列している。
【００２６】
画素アレイ１００の上には、所定の厚さのギャップ層１１０を介して、配列されたスリット状の開口部を有する遮光層である視差バリア１１１が配設される。図１のデュアルビュー表示装置の視差バリア１１１は、右用画素１０１と左用画素１０２との境界部分にスリットを有している。これにより、画面の正面より右側からは、右用画素１０１からの光は見えるが、左用画素１０２からの光は視差バリア１１１により遮られて見えない。また画面の正面より左側からは、左用画素１０２からの光は見えるが、右用画素１０１からの光は視差バリア１１１により遮られて見えない。このように視差バリア１１１は、画素アレイ１００からの光を部分的に遮ることで、画素アレイ１００からの光を異なる方向へ分離する。それにより、画素アレイ１００が表示する複数の画像が分離され、それぞれ異なる方向へ表示される。
【００２７】
マルチプルビュー表示装置が表示する複数の画像同士の視野角の差は、主に画素アレイ１００における画素のピッチと、ギャップ層１１０の厚さによって決まる。そのためギャップ層１１０の厚さとその均一性は、マルチプルビュー表示装置の性能を左右する重要な要素である。
【００２８】
図２は、本発明の実施の形態１に係るマルチプルビュー表示装置（具体的にはデュアルビュー表示装置）の表示パネルの構成図である。当該表示パネルは、画素アレイとして液晶表示デバイスを用いたものであり、前面のガラス基板１０（第１基板）、背面のＴＦＴ基板２０（第２基板）、並びに、当該ガラス基板１０とＴＦＴ基板２０に挟持された液晶２２を備えている。
【００２９】
ガラス基板１０は、ＴＦＴ基板２０との対向面に視差バリア１１を備え、その視差バリア１１上には、ギャップ層として働く透明フィルム１３が透明接着剤１２を用いて貼り付けられている。さらに、透明フィルム１３におけるＴＦＴ基板２０との対向面には、ブラックマトリクス１４およびカラーフィルタ１５が形成されている。
【００３０】
一方、図示は省略するが、ＴＦＴ基板２０におけるガラス基板１０との対向面には、画素電極やそれに画像信号を供給する配線およびＴＦＴ（Thin Film Transistor）などが配設されている。
【００３１】
ガラス基板１０とＴＦＴ基板２０との間には液晶２２が挟持されている。この液晶２２は、画素アレイを取り囲むようにガラス基板１０およびＴＦＴ基板２０の外周部に設けられたシール材２１によって封止されている。
【００３２】
図２の表示パネルにおいて、ブラックマトリクス１４で区切られた各領域が、画素アレイを構成する画素となる。それぞれの画素は、ＴＦＴ基板２０上の画素電極（不図示）、ガラス基板１０に搭載されたカラーフィルタ１５およびその間の液晶を含む構成となる。なお、カラーフィルタ１５においては、画素ごとに赤（Ｒ）、緑（Ｇ）、青（Ｂ）のいずれかの色材が配設される。
【００３３】
図３〜図９は、図２に示した表示パネルの製造工程図である。以下、これらの図に基づき、本実施の形態に係るマルチプルビュー表示装置の製造方法について説明する。
【００３４】
まず、ガラス基板１０を用意し（図３）、当該ガラス基板１０上にフォトリソグラフィ技術により視差バリア１１を形成する（図４）。視差バリア１１の材料は、一般的な液晶表示パネルのカラーフィルタ基板に形成されるブラックマトリクスの材料と同じでよい。その例としては、反射防止膜として働く酸化膜が表面に形成されたＣｒ、Ａｌなどの金属膜や、黒色カラーレジスト（黒色顔料を含有する感光性樹脂）などがある。
【００３５】
続いて、ガラス基板１０の視差バリア１１が形成された面に、透明接着剤１２を塗布形成し（図５）、その上から透明フィルム１３を貼り合わせる（図６）。透明接着剤１２を塗布する際、その厚さを視差バリア１１の厚み以上にして視差バリア１１の開口部（スリット）による段差を無くし、透明フィルム１３の貼り付け面を平坦化することが好ましい。
【００３６】
本実施の形態では、ポリエーテルサルホン（ＰＥＳ）製の透明フィルム１３を用いた。透明フィルム１３の厚さは、マルチプルビュー表示装置に求められる各画像の視野角の差に応じて異なるが、本実施の形態では７５μｍ厚とした。また透明接着剤１２は、視差バリア１１のスリットが全て埋まり、且つ、若干量の透明接着剤１２が視差バリア１１の表面を覆うように塗布形成した。具体的には、ＵＶ硬化型の透明接着剤１２を、基板回転式の塗布装置を用いて２μｍ程度の厚みに塗布した。
【００３７】
続いて、透明フィルム１３上から押圧ローラなどで均一に押圧する。これにより、透明フィルム１３は視差バリア１１の表面に接し、透明接着剤１２がほぼ視差バリア１１のスリット内のみに残存するようになる（図７）。仮に、視差バリア１１の表面と透明フィルム１３との間に透明接着剤１２が残存したとしても、その厚さは透明フィルム１３の厚みの１％以下程度となるので、視野角への影響は殆どない。
【００３８】
そして透明フィルム１３上に、ブラックマトリクス１４および赤、緑、青の各色材から成るカラーフィルタ１５を形成する（図８）。これらはフォトリソグラフィ技術を用いて所定のパターンに形成される。すなわち、カラーフィルタ１５の色材は画素ごとに色分けして形成され、ブラックマトリクス１４は各画素間または異なる色の色材間に位置するように形成される。このとき、ブラックマトリクス１４と視差バリア１１との位置関係が適切になるように位置合わせされる。例えばデュアルビュー表示装置の場合、視差バリア１１のスリットの部分に画素の境界が位置するように位置合わせされる。ブラックマトリクス１４およびカラーフィルタ１５の形成手法は、一般的なカラーフィルタ基板におけるものと同じでよいため、その詳細な説明は省略する。なお、ブラックマトリクス１４の材料は、金属でも樹脂でもよい。
【００３９】
また、ブラックマトリクス１４を形成する層は、カラーフィルタ１５の上層、下層、同層のいずれでもよい。但し、ブラックマトリクス１４と視差バリア１１のスリットとの位置関係は、マルチプルビュー表示装置が表示する各画像の視野角に影響するので、ブラックマトリクス１４は透明フィルム１３に接するように形成することが好ましい。そうすることにより、ブラックマトリクス１４と視差バリア１１との間の厚さ方向（ガラス基板１０に垂直な方向）の距離が、透明フィルム１３の厚さのみで定まるようになり、その距離の制御が容易になる。
【００４０】
液晶２２の駆動方式が、ＴＮ（Twisted Nematic）型のような縦方向電界を用いるもの（縦電界方式）の場合は、ガラス基板１０にカラーフィルタ１５およびブラックマトリクス１４を形成した後、それらの表面に共通電極（対向電極）となる透明導電膜（例えばＩＴＯ膜）を成膜する。また、液晶２２の駆動方式がＩＰＳ（In-Plane Switching）型のような横方向電界を用いるもの（横電界方式）の場合は、共通電極はＴＦＴ基板２０側に形成されるため、ガラス基板１０には共通電極を形成する必要はない。その場合、カラーフィルタ１５およびブラックマトリクス１４を保護する目的で、その表面に透明樹脂膜より成るオーバーコート層などを適宜形成してもよい。
【００４１】
このようにして、視差バリア１１および透明フィルム１３を有するガラス基板１０（マザーガラス基板）が作製される。一方、ＴＦＴ基板２０は、一般的な液晶表示装置のＴＦＴ基板と同様のプロセスで形成できるため、ここではその作製方法の説明は省略する。
【００４２】
本発明において、液晶２２の駆動方式は特に限定されず、ＴＮ方式、横電界方式、垂直配向方式、ＳＴＮ方式などのいずれでもよい。また、スイッチング素子を用いたアクティブマトリクス方式に限られず、縦横ストライブ電極をそれぞれの基板に配置するパッシブ方式でもよい。また各画素に設けられるスイッチング素子についても、ＴＦＴに限られずダイオード素子であってもよい。
【００４３】
次に、作製したＴＦＴ基板２０（マザーＴＦＴ基板）上に、画素アレイとなる領域を囲むようにシール材２１を形成し、その内側に液晶２２を滴下した後、ガラス基板１０とＴＦＴ基板２０とを、シール材２１を介して貼り合わせる（図９）。その結果、ガラス基板１０とＴＦＴ基板２０の間に、液晶２２が封止される。液晶２２をガラス基板１０とＴＦＴ基板２０の間に注入する手法としては真空注入法を用いてもよい。
【００４４】
このようにガラス基板１０とＴＦＴ基板２０とを貼り合わせて得た構造体（マザーセル基板）を、所定のサイズに切断する。それにより図２に示した構造の表示パネルが得られる。その後、偏光板やバックライトの取り付けなど、一般的な表示パネルの組立てプロセスを経てマルチプルビュー表示装置が完成する。
【００４５】
本実施の形態に係るマルチプルビュー表示装置によれば、画素アレイと視差バリア１１との間のギャップ層が、予め所定の厚みに管理して作製された透明フィルム１３により構成されているので、均一な厚さのギャップ層を得ることができる。また、透明フィルム１３をガラス基板１０（視差バリア１１）に貼り付けることでギャップ層を形成できる。従って、樹脂を塗布してギャップ層を形成したり、あるいは液晶パネルのガラス基板を薄く加工してそれをギャップ層にする従来技術に比較して、ギャップ層を容易に形成でき、歩留まりの向上に寄与できる。また、仮に透明フィルム１３の作製過程で不良が生じたとしても、フィルム材の一部材のみの不良に留まり、完成に近い表示パネル全体が不良品とならないため、コスト面の不利益は少なくて済む。
【００４６】
本実施の形態において、ギャップ層となる透明フィルム１３としては、耐熱性（１５０度以上）および光透過率が高い（８０％以上）ものが望ましい。また上の例では、透明フィルム１３の厚さを７５μｍ（０．０７５ｍｍ）としたが、マルチプルビュー表示装置が表示する各画像の見える範囲（視野角）や、解像度（画素ピッチ）の仕様に応じて、０．０５〜０．１５ｍｍ程度の範囲で決定すればよい。透明フィルム１３の厚みバラツキは、厚みの１０％以下であることが望ましい。さらに視野角の仕様が厳しい場合（例えば、視野角を極めて狭くする場合や、視野角に高い精度が要求される場合）には、透明フィルム１３の厚みバラツキは、厚みの５％以下であることが望ましい。
【００４７】
［変更例］
実施の形態１では、透明フィルム１３を、視差バリア１１が形成されたガラス基板１０に貼り付ける際、透明接着剤１２をガラス基板１０側に塗布形成したが（図６）、図１０のように透明接着剤１２を透明フィルム１３側に塗布形成してもよい（図１１）。但し、透明フィルム１３は比較的柔らかいため、表面に透明接着剤１２が塗布形成された透明フィルム１３は取り扱いが容易でないという問題がある。
【００４８】
そこで、取り扱いやすさの観点から、透明フィルム１３上に、予め均一な厚さの透明接着剤１２の層およびその上の剥離シート３１（ストリッパ）を設けた、透明粘着シート３０（図１２）を用意するとよい。透明粘着シート３０の透明フィルム１３は、圧延ローラ間で均一に押圧することにより、全体の厚みを均一に形成することができる。
【００４９】
透明粘着シート３０を用いる場合、透明フィルム１３をガラス基板１０に貼り付ける工程では、まず透明粘着シート３０から剥離シート３１を剥がして、透明粘着シート３０（透明フィルム１３）ガラス基板１０に貼り付ける。このような粘着シートの貼り付けは、一般的な液晶表示装置における偏光板の貼り付け工程において従来から行われている。そのため、従来技術から大幅なプロセス変更を行うことなくギャップ層を形成できるという利点もある。
【００５０】
透明粘着シート３０に設けられる透明接着剤１２の厚みは、予め均一な所定の厚みに管理して形成できる。その厚さは、透明接着剤１２をガラス基板１０に塗布する場合と同様に、視差バリア１１の厚み以上（例えば２μｍ程度）にして、透明粘着シート３０をガラス基板１０に貼り付けたときに視差バリア１１のスリットが透明接着剤１２で埋められることが望ましい。なお、透明粘着シート３０を用いた場合にも、視差バリア１１と透明フィルム１３間に挟まれる透明接着剤１２は、透明フィルム１３の厚みの１〜２％程度となるので、視野角への影響は殆どない。
【００５１】
＜実施の形態２＞
実施の形態１では、ガラス基板１０に透明フィルム１３を貼り付け、その後、透明フィルム１３の上にカラーフィルタ１５およびブラックマトリクス１４を形成したが、実施の形態２では、予めカラーフィルタとブラックマトリクスが形成されたフィルム状の部材（カラーフィルタフィルム）を用いる。
【００５２】
図１３は、実施の形態２に係るマルチプルビュー表示装置（デュアルビュー表示装置）の表示パネルの構成図である。当該表示パネルは、透明フィルム１３、ブラックマトリクス１４およびカラーフィルタ１５として、それらを予め一体的に形成したカラーフィルタフィルム４０が用いられていることを除き、図２と同様の構成である。図１４に示すように、カラーフィルタフィルム４０は、透明フィルム１３上に、予めブラックマトリクス１４およびカラーフィルタ１５を形成した構造体である。
【００５３】
以下、本実施の形態に係るマルチプルビュー表示装置の製造方法を説明する。
【００５４】
まず、図１４に示したカラーフィルタフィルム４０を用意する。カラーフィルタフィルム４０の透明フィルム１３はギャップ層となる。ここでは透明フィルム１３の厚みが７５μｍのカラーフィルタフィルム４０を用いた。
【００５５】
カラーフィルタフィルムは、現在、フレキシブル基板を用いた液晶表示装置向けに量産化が検討されており、今後は汎用品が入手可能となることが見込まれるが、例えば、特開２０１０−１２７９８５号公報に開示の方法で、カラーフィルタフィルム４０を作製することができる。
【００５６】
カラーフィルタフィルム４０において、透明フィルム１３の部分はブラックマトリクス１４およびカラーフィルタ１５を形成するための基材となるが、透明フィルム１３は、回転する圧延ローラ間で押圧することにより、比較的高い精度で厚さを制御できる。透明フィルム１３の厚みのバラツキは、実施の形態１と同様に厚みの１０％以下が望ましい（より望ましくは５％以下）。また透明フィルム１３の厚さは、７５μｍに限定されず、マルチプルビュー表示装置が表示する各画像の視野角や解像度（画素ピッチ）などの仕様に応じて、０．０５〜０．１５ｍｍ程度の範囲内で設計すればよい。
【００５７】
そして、視差バリア１１を実施の形態１と同様に形成したガラス基板１０上に、用意したカラーフィルタフィルム４０を、例えばＵＶ硬化型の透明接着剤１２を用いて貼り付ける（図１５、図１６）。このときカラーフィルタフィルム４０の透明フィルム１３側の面（透明フィルム１３におけるブラックマトリクス１４およびカラーフィルタ１５の形成面の反対側の面）をガラス基板１０に貼り付ける。それにより、ブラックマトリクス１４およびカラーフィルタ１５と視差バリア１１との間に透明フィルム１３が配設される。この貼り付けは、カラーフィルタフィルム４０上のブラックマトリクス１４およびカラーフィルタ１５が、視差バリア１１に対して適切な位置関係になるように、アライメントマークを用いて位置合わせしながら行う。
【００５８】
その後は、カラーフィルタフィルム４０が貼り付けられたガラス基板１０に対し、実施の形態１と同様に、必要に応じて共通電極やオーバーコート層などを形成し、ガラス基板１０とＴＦＴ基板２０との間に液晶２２を封止して、所定のサイズに切断することにより、図１３に示した構造の表示パネルが得られる。そして、偏光板やバックライトの取り付けなど、一般的な表示パネルの組立てプロセスを経てマルチプルビュー表示装置が完成する。
【００５９】
本実施の形態によれば、透明フィルム１３上に予めブラックマトリクス１４およびカラーフィルタ１５を搭載させたカラーフィルタフィルム４０を用いることにより、実施の形態１よりもさらに製造工程が簡略化される。また透明フィルム１３の厚みが正確に管理されたカラーフィルタフィルム４０を使用することにより、実施の形態１と同様に、厚さの均一性の高いギャップ層を得ることができる。
【００６０】
＜実施の形態３＞
実施の形態１，２では、透明フィルム１３（あるいは透明フィルム１３を含む透明粘着シート３０、カラーフィルタフィルム４０）を、ガラス基板１０の全面に貼り付けた構成としたが、実施の形態３では、それをシール材２１で囲まれた領域の内側のみに貼り付ける。
【００６１】
図１７は、実施の形態３に係るマルチプルビュー表示装置の表示パネルの構成図である。同図の如く、視差バリア１１、透明フィルム１３、ブラックマトリクス１４およびカラーフィルタ１５は、シール材２１よりも内側の少なくとも表示領域（画素アレイの領域）に配設されている。なお、実施の形態１，２では、透明フィルム１３の貼り付け面の平坦性を高める目的で、視差バリア１１をガラス基板１０の全体に形成していたが、本実施の形態では、視差バリア１１は、少なくとも透明フィルム１３が貼り付けられる領域に形成すればよく、透明フィルム１３の貼り付け面の平坦性を維持できる。
【００６２】
図１７の表示パネルの製造方法は、視差バリア１１を形成する領域の違いと、透明フィルム１３（または透明粘着シート３０、カラーフィルタフィルム４０）を貼り付ける領域の違いを除いて、実施の形態１，２と同様でよい。なお、透明フィルム１３（または透明粘着シート３０、カラーフィルタフィルム４０）は、ガラス基板１０に貼り付ける前に、予め所定の大きさ（表示領域とほぼ同等の大きさ）に切断加工したものを用意する。
【００６３】
このように透明フィルム１３がシール材２１で囲まれた領域内のみに配設されることにより、ガラス基板１０とＴＦＴ基板２０を貼り合わせて成るマザーセル基板から、所定のサイズの表示パネルを切り出す工程において、透明フィルム１３を切断する必要がない。そのため切断面の形状が安定し、切断不良の発生を抑制でき、歩留まりをさらに向上できる。
【００６４】
なお、切断不良の発生を抑制する効果を得るためには、透明フィルム１３が切断ラインに跨っていなければよく、必ずしもシール材２１より内側に収める必要はない。つまり透明フィルム１３は、ガラス基板１０およびＴＦＴ基板２０をマザーセル基板から切断するときに切断部となる領域の近傍を除いて配設されていればよい。
【００６５】
一方、透明フィルム１３の材料が水分の透過性を有する場合も考えられる。例えばカラーフィルタフィルム４０の基材となる透明フィルム１３は、水分の透過性を有するものが少なくない。その場合、透明フィルム１３がシール材２１よりも外側まで延在すると、外気に含まれる水分が透明フィルム１３を経由して液晶セル内へ侵入する恐れがあるため、液晶表示装置の信頼性が低下する。特に、液晶２２が横電界方式で駆動される場合、カラーフィルタ１５の表面にＩＴＯ膜などの共通電極を設けないので、カラーフィルタ１５の表面に分極が発生し、表示異常が発生することも考えられる。
【００６６】
図１７のように透明フィルム１３をシール材２１よりも内側に配設させれば、透明フィルム１３が外気に触れないため、液晶セル内への水分の侵入を防止する効果が得られる。またその効果を得るためには、少なくとも透明フィルム１３がシール材２１よりも外側に達していなければよく、例えば図１８のように透明フィルム１３の端部がシール材２１に接していてもよい。すなわち、透明フィルム１３が、シール材２１の外端よりも内側の領域に配設されていればよい。
【００６７】
本実施の形態は、透明フィルム１３を含む透明粘着シート３０やカラーフィルタフィルム４０を用いる場合に対しても適用可能であり、上記と同様の効果が得られる。
【００６８】
＜実施の形態４＞
実施の形態１〜３においては、画素アレイを構成する各画素が液晶表示セルである例を示したが、本発明は、画素アレイの表面上にギャップ層と視差バリアを配設して成るマルチプルビュー表示装置に広く適用可能である。
【００６９】
図１９は、有機ＥＬ素子の画素から成る画素アレイを有する表示装置（有機ＥＬ表示装置）に本発明を適用して得たマルチプルビュー表示装置（デュアルビュー表示装置）の表示パネルの構成図である。当該表示パネルは、それぞれ有機ＥＬ素子である右用画素５１および左用画素５２が背面基板５３上に交互に配列された有機ＥＬ画素アレイ５０を有している。有機ＥＬ画素アレイ５０の上面に、透明フィルム１３が透明接着剤１２を用いて貼り付けられており、その上に視差バリア１１が形成されている。
【００７０】
画素アレイの各画素が、液晶表示セルの場合、液晶層の厚さが数μｍ程度あるため、隣接画素への光の漏れや、カラーフィルタ１５の色材の混色を防ぐブラックマトリクス１４が配設される。そのため各液晶表示セルにおける実質的な画素領域は、ブラックマトリクス１４で囲まれたカラーフィルタ１５の光透過領域となる。そのため実施の形態１〜３では、透明フィルム１３から成るギャップ層を、画素領域を規定するブラックマトリクス１４およびカラーフィルタ１５と視差バリア１１との間に配設させた。
【００７１】
一方、有機ＥＬ画素アレイ５０では、有機ＥＬ素子である各画素自体が発光し、その表面全体が画素領域となるため、有機ＥＬ画素アレイ５０の上にギャップ層としての透明フィルム１３を配設している。
【００７２】
実施の形態１〜３のマルチプルビュー表示装置の製造では、先に形成した視差バリア１１に透明フィルム１３を貼り付ける手順であったが、本実施の形態のマルチプルビュー表示装置は、先に透明フィルム１３を有機ＥＬ画素アレイ５０に貼り付け、その後で、透明フィルム１３上に視差バリア１１を形成することで作製される。
【００７３】
つまり本実施の形態は、実施の形態１〜３に対して、視差バリア１１と透明接着剤１２の形成順、並びに透明接着剤１２と透明フィルム１３の上下関係が異なっている。しかし、画素アレイと視差バリア１１との間のギャップ層として、透明接着剤１２を用いて貼り付けられる透明フィルム１３を用いる点で同じであり、ギャップ層の厚みの精度および均一性の向上、並びに、製造工程の簡略化による歩留まりの向上およびそれによる低コスト化の効果は、実施の形態１〜３と同様に得られる。
【００７４】
また、透明フィルム１３を貼り付ける領域を、背面基板５３の切断ラインに跨らないようにすれば、背面基板５３をマザー基板から切断する工程で透明フィルム１３を切断する必要がなくなる。それにより、実施の形態３と同様に、切断不良の発生を抑制でき、歩留まりをさらに向上できる。
【００７５】
以上の各実施の形態は、比較的薄いギャップ層（透明フィルム１３）が必要とされるマルチプルビュー表示装置に好適であるが、比較的厚いギャップ層を用いる直視タイプの３Ｄ表示装置にも応用可能である。ギャップ層が厚い場合、ギャップ層の厚みの精度向上に対する寄与は少なくなるが、歩留まりの向上および低コスト化の効果はギャップ層が薄い場合と同様に得られる。また厚いギャップ層を基板上に塗布形成すると、ギャップ層の硬化時に発生する応力による基板の反りの問題が生じるが、本発明ではその問題を伴わないという利点もある。
【００７６】
また各実施の形態では、マルチプルビュー表示装置の例として、視差バリア１１の各スリットに異なる画像を表示する２つの画素（画素列）を対応させて配置したデュアルビュー表示装置を示したが、各スリットに３つの画素を対応させて配置したトリプルビュー表示装置、あるいは各スリットに３つ以上の画素を対応させて配置したマルチプルビュー表示装置に対しても適用可能である。
【００７７】
各スリットに３つ以上の画素を対応配置させる場合、スリットの幅方向（長手方向に対して垂直な方向）にそれらの画素を配列させることにより、スリットの幅方向に異なる３以上の方向に、それぞれ異なる３つ以上の画像を表示させることができる。また、視差バリア１１の開口部を、スリット以外の形状（正方形、多角形、円形など）とし、各開口部に対応配置させて３つ以上の画素を２次元的に配列させてもよい。その場合、各開口部の形状は、それに対応配置させた画素の数やそれらの配置に応じて選択すればよい。
【符号の説明】
【００７８】
１０  ガラス基板、１１  視差バリア、１２  透明接着剤、１３  透明フィルム、１４  ブラックマトリクス、１５  カラーフィルタ、２０  ＴＦＴ基板、２１  シール材、２２  液晶、３０  透明粘着シート、３１  剥離シート、４０  カラーフィルタフィルム、５０  有機ＥＬ画素アレイ、５１  右用画素、５２  左用画素、５３  背面基板。
【図１】
2013044926.tif 000003
【図２】
2013044926.tif 000004
【図３】
2013044926.tif 000005
【図４】
2013044926.tif 000006
【図５】
2013044926.tif 000007
【図６】
2013044926.tif 000008
【図７】
2013044926.tif 000009
【図８】
2013044926.tif 000010
【図９】
2013044926.tif 000011
【図１０】
2013044926.tif 000012
【図１１】
2013044926.tif 000013
【図１２】
2013044926.tif 000014
【図１３】
2013044926.tif 000015
【図１４】
2013044926.tif 000016
【図１５】
2013044926.tif 000017
【図１６】
2013044926.tif 000018
【図１７】
2013044926.tif 000019
【図１８】
2013044926.tif 000020
【図１９】
2013044926.tif 000021